(57)【特許請求の範囲】
【請求項１】
タンク内に貯蔵された圧縮ガスの残量を、所定の表示装置に表示させるガス残量表示制御装置であって、
前記圧縮ガスの圧力と、前記圧縮ガスの温度とに基づいて、前記圧縮ガスの質量を算出する質量算出部と、
前記タンクへの前記圧縮ガスの充填時に、前記圧縮ガスの圧力、および、温度の少なくとも一方が所定の条件を満たして充填が停止されたときに、前記質量算出部によって算出された前記圧縮ガスの質量を、前記表示装置に前記残量を表示させるために用いられる基準値として設定する基準値設定部と、
前記基準値が、前記タンクに前記圧縮ガスが満充填であるときの前記圧縮ガスの質量であるものと仮定して、前記質量算出部によって算出された前記圧縮ガスの質量の、前記基準値に対する割合に基づいて、前記残量を前記表示装置に表示させる表示制御部と、
を備えるガス残量表示制御装置。
【請求項２】
請求項１記載のガス残量表示制御装置であって、
前記所定の条件は、前記圧縮ガスの圧力が、前記タンクの許容圧力の上限値に到達することを含む、ガス残量表示制御装置。
【請求項３】
請求項１記載のガス残量表示制御装置であって、
前記所定の条件は、前記圧縮ガスの温度が、前記タンクの許容温度の上限値に到達することを含む、ガス残量表示制御装置。
【請求項４】
請求項１ないし３のいずれかに記載のガス残量表示制御装置であって、
前記圧縮ガスの質量について、前記タンクから前記圧縮ガスを所定の圧力以上で放出可能な範囲内で所定の下限値が設定されており、
前記表示制御部は、さらに、前記圧縮ガスの質量が、前記下限値以下になったときに、前記タンクへの前記圧縮ガスの充填をユーザに促す表示を、前記表示装置に表示させる、
ガス残量表示制御装置。
【請求項５】
タンク内に貯蔵された圧縮ガスの残量を、所定の表示装置に表示させるガス残量表示制御装置であって、
前記タンクへの前記圧縮ガスの充填時に、前記圧縮ガスの温度が、前記タンクの許容温度の上限値に到達して充填が停止されたときに、前記残量が最大であると前記表示装置に表示させる表示制御部を備えることを特徴とするガス残量表示制御装置。
【請求項６】
タンク内に貯蔵された圧縮ガスの残量を表示させるガス残量表示装置であって、
請求項１ないし５のいずれかに記載のガス残量表示制御装置と、
前記表示装置と、
を備えるガス残量表示装置。
【請求項７】
タンク内に貯蔵された圧縮ガスの残量を、所定の表示装置に表示させるガス残量表示制御方法であって、
前記圧縮ガスの圧力と、前記圧縮ガスの温度とを取得する取得工程と、
前記取得工程によって取得された前記圧縮ガスの圧力と、前記圧縮ガスの温度とに基づいて、前記圧縮ガスの質量を算出する質量算出工程と、
前記タンクへの前記圧縮ガスの充填時に、前記圧縮ガスの圧力、および、温度の少なくとも一方が所定の条件を満たして充填が停止されたときに、前記質量算出工程によって算出された前記圧縮ガスの質量を、前記表示装置に前記残量を表示させるために用いられる基準値として設定する基準値設定工程と、
前記基準値が、前記タンクに前記圧縮ガスが満充填であるときの前記圧縮ガスの質量であるものと仮定して、前記質量算出工程によって算出された前記圧縮ガスの質量の、前記基準値に対する割合に基づいて、前記残量を前記表示装置に表示させる表示制御工程と、
を備えるガス残量表示制御方法。
【請求項８】
タンク内に貯蔵された圧縮ガスの残量を、所定の表示装置に表示させるガス残量表示制御方法であって、
前記タンクへの前記圧縮ガスの充填時に、前記圧縮ガスの温度が、前記タンクの許容温度の上限値に到達して充填が停止されたことを検知する検知工程と、
前記検知工程によって、前記充填が停止されたことが検知されたときに、前記残量が最大であると前記表示装置に表示させる表示制御工程と、
を備えるガス残量表示制御方法。
【発明の詳細な説明】
【技術分野】
【０００１】
本発明は、タンク内に貯蔵された圧縮ガスの残量を、所定の表示装置に表示させる技術に関するものである。
【背景技術】
【０００２】
従来、タンク内に貯蔵された圧縮ガスの残量を表示する種々の技術が提案されている（例えば、下記特許文献１参照）。例えば、下記特許文献１に記載された技術では、タンク内に貯蔵された圧縮気体燃料（圧縮ガス）の残量は、圧縮気体燃料の圧力や、質量に基づいて表示される。
【０００３】
【特許文献１】特開２００５−２４０８５４号公報
【特許文献２】特開２００６−２２６５１１号公報
【特許文献３】特開２００５−２８３１２７号公報
【発明の開示】
【発明が解決しようとする課題】
【０００４】
ところで、圧縮ガスを貯蔵するタンクには、安全性を考慮して、貯蔵する圧縮ガスの圧力や温度に関して、所定の規格が定められている。このため、圧縮ガスをタンクに充填する際には、そのタンクの規格に応じて、圧縮ガスの充填が行われる。したがって、タンクへの圧縮ガスの充填量（質量）は、タンク内における圧縮ガスの圧力、または、温度によって制限される。つまり、例えば、タンクへの圧縮ガスの充填時に、タンク内の圧縮ガスの温度が断熱圧縮によって上昇し、その温度が規定温度に到達したときには、タンク内の圧縮ガスの圧力が規定圧力未満であっても、タンクへの圧縮ガスの充填は停止される。一方、断熱圧縮によっても、タンク内の圧縮ガスの温度が規定温度未満である場合には、タンク内の圧縮ガスの圧力が規定圧力に到達したときに、タンクへの圧縮ガスの充填が停止される。
【０００５】
しかし、上記特許文献１に記載された技術では、タンク内の圧縮ガスの温度によって、タンクへの圧縮ガスの充填量（質量）が制限された場合に、タンク内の圧縮ガスの残量が「ＦＵＬＬ」（いわゆる「満タン」）の表示がなされなかった。また、タンク内の圧縮ガスの圧力が規定圧力に到達して、一旦は「ＦＵＬＬ」の表示がなされた場合も、その後、時間の経過とともに、タンク内の圧縮ガスの温度が低下して、圧力が低下した場合には、圧縮ガスを使用していなくても、「ＦＵＬＬ」の表示がなされなかった。そして、圧縮ガスを満タンに充填したはずなのに、「ＦＵＬＬ」の表示がなされないことについて、ユーザは、違和感を感じていた。
【０００６】
本発明は、上述の課題を解決するためになされたものであり、充填が制限されるまで、圧縮ガスがタンクに充填されたときに、表示装置に「ＦＵＬＬ」の表示を確実に行うことを目的とする。
【課題を解決するための手段】
【０００７】
本発明は、上述の課題の少なくとも一部を解決するために以下の形態又は適用例として実現することが可能である。
【０００８】
［適用例１］タンク内に貯蔵された圧縮ガスの残量を、所定の表示装置に表示させるガス残量表示制御装置であって、前記圧縮ガスの圧力と、前記圧縮ガスの温度とに基づいて、前記圧縮ガスの質量を算出する質量算出部と、前記タンクへの前記圧縮ガスの充填時に、前記圧縮ガスの圧力、および、温度の少なくとも一方が所定の条件を満たして充填が停止されたときに、前記質量算出部によって算出された前記圧縮ガスの質量を、前記表示装置に前記残量を表示させるために用いられる基準値として設定する基準値設定部と、前記基準値が、前記タンクに前記圧縮ガスが満充填であるときの前記圧縮ガスの質量であるものと仮定して、前記質量算出部によって算出された前記圧縮ガスの質量の、前記基準値に対する割合に基づいて、前記残量を前記表示装置に表示させる表示制御部と、を備えるガス残量表示制御装置。
【０００９】
適用例１のガス残量表示制御装置では、タンク内の圧縮ガスの圧力、および、温度の少なくとも一方が所定の条件を満たして充填が停止されたときのタンク内の圧縮ガスの質量が、タンクに圧縮ガスが満充填であるときの圧縮ガスの質量であるものと仮定して、このときの圧縮ガスの質量（基準値）に対するタンクへの圧縮ガスの充填後に算出された圧縮ガスの質量の割合に基づいて、タンク内の圧縮ガスの残量を表示装置に表示させる。こうすることによって、充填が制限（停止）されるまで、圧縮ガスがタンクに充填されたときに、圧縮ガスを使用しないまま、タンク内の圧縮ガスの温度や圧力が変化しても、表示装置に「ＦＵＬＬ」の表示を確実に行うことができる。また、タンク内の圧縮ガスが使用されたときには、「ＦＵＬＬ」表示時からの圧縮ガスの使用割合、すなわち、タンク内の圧縮ガスの残量を表示装置に表示させることができる。なお、表示装置における圧縮ガスの残量の表示態様は、例えば、いわゆるアナログ表示としてもよいし、ディジタル表示としてもよいし、また、パーセント表示としてもよい。
【００１０】
［適用例２］適用例１記載のガス残量表示制御装置であって、前記所定の条件は、前記圧縮ガスの圧力が、前記タンクの許容圧力の上限値に到達することを含む、ガス残量表示制御装置。
【００１１】
適用例２のガス残量表示制御装置では、圧縮ガスの圧力が、タンクの許容圧力の上限値に到達するまで充填され、その後、圧縮ガスを使用しないまま、時間の経過とともに、タンク内の圧縮ガスの温度が低下して、圧力が低下した場合であっても、表示装置に「ＦＵＬＬ」の表示を確実に行うことができる。
【００１２】
［適用例３］適用例１記載のガス残量表示制御装置であって、前記所定の条件は、前記圧縮ガスの温度が、前記タンクの許容温度の上限値に到達することを含む、ガス残量表示制御装置。
【００１３】
適用例３のガス残量表示制御装置では、圧縮ガスの温度が、タンクの許容温度の上限値に到達するまで充填され、タンクへの圧縮ガスの充填量（質量）が制限された場合であっても、表示装置に「ＦＵＬＬ」の表示を確実に行うことができる。
【００１４】
［適用例４］適用例１ないし３のいずれかに記載のガス残量表示制御装置であって、前記圧縮ガスの質量について、前記タンクから前記圧縮ガスを所定の圧力以上で放出可能な範囲内で所定の下限値が設定されており、前記表示制御部は、さらに、前記圧縮ガスの質量が、前記下限値以下になったときに、前記タンクへの前記圧縮ガスの充填をユーザに促す表示を、前記表示装置に表示させる、ガス残量表示制御装置。
【００１５】
適用例４のガス残量表示制御装置では、タンクから圧縮ガスを所定の圧力以上で供給できなくなる前に、タンクへの圧縮ガスの充填をユーザに促すことができる。タンクへの圧縮ガスの充填をユーザに促す表示としては、例えば、いわゆる「ＥＭＰＴＹ」の表示や、ＥＭＰＴＹランプの点灯、点滅等が挙げられる。なお、「所定の下限値」は、固定値としてもよいし、例えば、タンク内の圧縮ガスの圧力や温度に応じて変動させるようにしてもよい。
【００１６】
［適用例５］タンク内に貯蔵された圧縮ガスの残量を、所定の表示装置に表示させるガス残量表示制御装置であって、前記タンクへの前記圧縮ガスの充填時に、前記圧縮ガスの圧力、および、温度の少なくとも一方が所定の条件を満たして充填が停止されたときに、前記残量が最大であると前記表示装置に表示させる表示制御部を備えることを特徴とするガス残量表示制御装置。
【００１７】
適用例５のガス残量表示制御装置によって、充填が制限（停止）されるまで、圧縮ガスがタンクに充填されたときに、圧縮ガスを使用しないまま、タンク内の圧縮ガスの温度や圧力が変化しても、表示装置に「ＦＵＬＬ」の表示を確実に行うことができる。
【００１８】
［適用例６］適用例５記載のガス残量表示制御装置であって、前記所定の条件は、前記圧縮ガスの圧力が、前記タンクの許容圧力の上限値に到達することを含む、ガス残量表示制御装置。
【００１９】
適用例６のガス残量表示制御装置では、圧縮ガスの圧力が、タンクの許容圧力の上限値に到達するまで充填され、その後、圧縮ガスを使用しないまま、時間の経過とともに、タンク内の圧縮ガスの温度が低下して、圧力が低下した場合であっても、表示装置に「ＦＵＬＬ」の表示を確実に行うことができる。
【００２０】
［適用例７］適用例５記載のガス残量表示制御装置であって、前記所定の条件は、前記圧縮ガスの温度が、前記タンクの許容温度の上限値に到達することを含む、ガス残量表示制御装置。
【００２１】
適用例７のガス残量表示制御装置では、圧縮ガスの温度が、タンクの許容温度の上限値に到達するまで充填され、タンクへの圧縮ガスの充填量（質量）が制限された場合であっても、表示装置に「ＦＵＬＬ」の表示を確実に行うことができる。
【００２２】
［適用例８］タンク内に貯蔵された圧縮ガスの残量を表示させるガス残量表示装置であって、適用例１ないし７のいずれかに記載のガス残量表示制御装置と、前記表示装置と、を備えるガス残量表示装置。
【００２３】
本発明は、上述のガス残量表示制御装置、ガス残量表示装置としての構成の他、ガス残量表示システム、ガス残量表示制御方法の発明として構成することもできる。また、これらを実現するコンピュータプログラム、およびそのプログラムを記録した記録媒体、そのプログラムを含み搬送波内に具現化されたデータ信号など種々の態様で実現することが可能である。なお、それぞれの態様において、先に示した種々の付加的要素を適用することが可能である。
【００２４】
本発明をコンピュータプログラムまたはそのプログラムを記録した記録媒体等として構成する場合には、ガス残量表示制御装置、ガス残量表示装置、ガス残量表示システムの動作を制御するプログラム全体として構成するものとしてもよいし、本発明の機能を果たす部分のみを構成するものとしてもよい。また、記録媒体としては、フレキシブルディスクやＣＤ−ＲＯＭ、ＤＶＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読み取り可能な種々の媒体を利用できる。
【発明を実施するための最良の形態】
【００２５】
以下、本発明の実施の形態について、実施例に基づき説明する。
Ａ．ガス残量表示システム：
図１は、本発明の一実施例としてのガス残量表示制御装置を適用したガス残量表示システム１０００の概略構成を示す説明図である。このガス残量表示システム１０００は、例えば、水素と酸素との電気化学反応によって発電する燃料電池から供給された電力を用いて、モータを駆動することによって走行する電気自動車に搭載される。
【００２６】
図示するように、ガス残量表示システム１０００は、水素タンク１０と、ガス残量表示制御装置１００と、表示装置２００とを備えている。
【００２７】
水素タンク１０には、水素タンク１０内に貯蔵された圧縮水素の圧力Ｐを検出する圧力センサ１２と、水素タンク１０内に貯蔵された圧縮水素の温度Ｔを検出する温度センサ１４とが備えられている。なお、水素タンク１０には、安全性を考慮して、貯蔵する圧縮水素の圧力や温度に関して、所定の規格が定められており、例えば、いわゆる水素ステーションにおいて、水素タンク１０への圧縮水素の充填が行われるときには、水素タンク１０内の圧縮水素の圧力が規定圧力（水素タンク１０の許容圧力の上限値（例えば、７０（ＭＰａ））に到達したとき、あるいは、断熱圧縮によって、水素タンク１０内の圧縮水素の温度が規定温度（水素タンク１０の許容温度の上限値（例えば、８５（℃））に到達したときに、充填が停止される。
【００２８】
ガス残量表示制御装置１００は、ＣＰＵ１１０や、ＲＯＭ１２０や、図示しないＲＡＭ等を備えている。ここで、ＲＯＭ１２０は、書き換え不能なＲＯＭと、書き換え可能なＲＯＭとを含んでいる。ＲＯＭ１２０には、水素タンク１０内の圧縮水素の質量を算出するために用いられるパラメータや、表示制御に用いられるパラメータが記憶されている。本実施例では、水素タンク１０内の圧縮水素の残量を算出するために用いられるパラメータとして、水素の圧縮係数ｚと、水素タンク１０のタンク容積Ｖと、気体定数Ｒと、水素の分子量とが記憶されている。なお、圧縮係数ｚは、ガスの圧力と温度とに応じて変化する値であるので、マップ形式で記憶されている。また、表示制御に用いられるパラメータとして、後述する基準値と、下限値とが記憶されている。
【００２９】
ＣＰＵ１１０は、質量算出部１１２と、基準値設定部１１４と、表示制御部１１６とを備えている。これらの各機能ブロックは、ＣＰＵ１１０が、ＲＯＭ１２０から所定のプログラムを読み出すことによって構成されている。これらの各機能ブロックの少なくとも一部を、ハードウェアによって構成するものとしてもよい。
【００３０】
質量算出部１１２は、周知の気体の状態方程式に基づいて、水素タンク１０内の圧縮水素の質量を算出する。具体的には、質量算出部１１２は、圧力センサ１２によって検出された水素タンク１０内の圧縮水素の圧力Ｐと、温度センサ１４によって検出された水素タンク１０内の圧縮水素の温度Ｔとを取得し、これらの値に応じた圧縮係数ｚと、予め規定されている水素タンク１０のタンク容積Ｖと、気体定数Ｒと、水素の分子量とを用いて水素タンク１０内の圧縮水素の質量を算出する。つまり、上記パラメータ間には、ＰＶ＝ｚｎＲＴ（ｎは水素のモル数）の関係があるから、ｎ＝（ＰＶ）／（ｚＲＴ）であり、この水素のモル数ｎに水素の分子量を掛けることによって、水素タンク１０内の圧縮水素の質量を求めることができる。
【００３１】
基準値設定部１１４は、水素タンク１０の許容圧力の上限値、あるいは、許容温度の上限値まで、水素タンク１０内に圧縮水素が充填されたときに、質量算出部１１２によって算出された水素タンク１０内の圧縮水素の質量を、基準値として設定し、ＲＯＭ１２０に記憶する。この基準値は、後述するように、表示制御部１１６が、表示装置２００に水素タンク１０内の圧縮水素の残量を表示させるために用いられる。なお、水素タンク１０の許容圧力の上限値、あるいは、許容温度の上限値まで、水素タンク１０内に圧縮水素が充填されたか否かは、例えば、圧力センサ１２の出力、および、温度センサ１４の出力を監視することによって行なわれる。
【００３２】
表示制御部１１６は、質量算出部１１２によって算出された水素タンク１０内の圧縮水素の質量と、ＲＯＭ１２０に記憶された基準値とに基づいて、表示装置２００に表示させるべき水素タンク１０内の圧縮水素の残量を決定し、その残量を、表示装置２００に表示させる。
【００３３】
Ｂ．ガス残量表示制御処理：
Ｂ１．圧縮水素充填時のガス残量表示制御処理：
図２は、水素タンク１０への圧縮水素充填時のガス残量表示制御処理の流れを示すフローチャートである。この処理は、水素タンク１０の許容圧力の上限値、または、許容温度の上限値に到達するまで、すなわち、ユーザが、いわゆる満タンに水素タンク１０に圧縮水素が充填されたと意識するまで、水素タンク１０に圧縮水素が充填されたときに、ＣＰＵ１１０が実行する処理である。
【００３４】
まず、ＣＰＵ１１０は、圧力センサ１２によって検出された水素タンク１０内の圧縮水素の圧力Ｐ、および、温度センサ１４によって検出された水素タンク１０内の圧縮水素の温度Ｔを取得する（ステップＳ１００）。
【００３５】
そして、ＣＰＵ１１０は、質量算出部１１２によって、先に説明したように、水素タンク１０内の圧縮水素の質量を算出する（ステップＳ１１０）。
【００３６】
次に、ＣＰＵ１１０は、基準値設定部１１４によって、ステップ１１０において算出された水素タンク１０内の圧縮水素の質量を基準値として設定し、ＲＯＭ１２０に記憶させる（ステップＳ１２０）。なお、この基準値は、水素タンク１０の許容圧力の上限値、または、許容温度の上限値に到達するまで、水素タンク１０に圧縮水素が充填されたときの水素タンク１０内の圧縮ガスの質量が、水素タンク１０に圧縮水素が満充填であるときの圧縮ガスの質量であるものと仮定して設定された値である。したがって、上記基準値は、水素タンク１０の許容圧力の上限値、または、許容温度の上限値に到達するまで、水素タンク１０に圧縮水素が充填されるごとに、リセットされる。
【００３７】
そして、ＣＰＵ１１０は、表示制御部１１６によって、ステップＳ１１０において算出された圧縮ガスの質量の、上記基準値に対する割合を算出し、その値に基づいて、表示装置２００に表示させるべき圧縮水素の残量を決定し、水素タンク１０内の圧縮水素が満タンであることを表す「Ｆ（：ＦＵＬＬ）」を、表示装置２００に表示させる（ステップＳ１３０）。上述した水素タンク１０への圧縮水素の充填時には、上記基準値と、ステップＳ１１０において算出された圧縮水素の質量とが一致するので、表示制御部１１６は、表示装置２００に、水素タンク１０内の圧縮水素が満タンであることを表す「Ｆ（：ＦＵＬＬ）」を表示させるのである。
【００３８】
そして、ＣＰＵ１１０は、圧縮ガス充填時のガス残量表示制御処理を終了する。
【００３９】
Ｂ２．圧縮水素充填後のガス残量表示制御処理：
図３は、水素タンク１０への圧縮水素充填後のガス残量表示制御処理の流れを示すフローチャートである。この処理は、水素タンク１０への圧縮水素の充填後、例えば、圧縮水素の使用中に、ＣＰＵ１１０が繰り返し実行する処理である。
【００４０】
まず、ＣＰＵ１１０は、圧力センサ１２によって検出された水素タンク１０内の圧縮水素の圧力Ｐ、および、温度センサ１４によって検出された水素タンク１０内の圧縮水素の温度Ｔを取得する（ステップＳ２００）。
【００４１】
次に、ＣＰＵ１１０は、質量算出部１１２によって、先に説明したように、水素タンク１０内の圧縮水素の質量を算出する（ステップＳ２１０）。
【００４２】
次に、ＣＰＵ１１０は、表示制御部１１６によって、ステップＳ２１０において算出された水素タンク１０内の圧縮水素の質量が、ＲＯＭ１２０に記憶されている所定の下限値以下であるか否かを判断する（ステップＳ２２０）。なお、本実施例では、上記下限値は、水素タンク１０から圧縮水素を所定の圧力以上で供給可能な範囲内で、予め設定されているものとした。
【００４３】
水素タンク１０内の圧縮水素の質量が所定の下限値以下である場合には（ステップＳ２２０：ＹＥＳ）、ＣＰＵ１１０は、表示制御部１１６によって、表示装置２００に、水素タンク１０内の圧縮水素の残量が、水素タンク１０から圧縮水素を所定の圧力以上で供給不能となりつつあることを表す「Ｅ（：ＥＭＰＴＹ）」を表示させる。このとき、表示装置２００に、例えば、ＥＭＰＴＹランプを備えるようにして、このＥＭＰＴＹランプを点灯、あるいは、点滅させるようにしてもよい。こうすることによって、水素タンク１０から圧縮水素を所定の圧力以上で供給できなくなる前に、水素タンク１０への圧縮水素の充填を、ユーザに促すことができる。
【００４４】
一方、水素タンク１０内の圧縮水素の質量が所定の下限値よりも大きい場合には（ステップＳ２２０：ＮＯ）、ＣＰＵ１１０は、ＲＯＭ１２０に記憶されている基準値と、ステップＳ２１０において質量算出部１１２によって算出された水素タンク１０内の圧縮水素の質量とを比較して、上記基準値に対する上記算質量の割合を算出する（ステップＳ２４０）。
【００４５】
そして、ＣＰＵ１１０は、表示制御部１１６によって、ステップＳ２４０において算出された割合に基づいて、表示装置２００に表示させるべき圧縮水素の残量を決定し、水素タンク１０内の圧縮水素の残量を、表示装置２００に表示させる（ステップＳ２５０）。なお、水素タンク１０への圧縮水素の充填後、圧縮水素をほとんど使用していない場合には、Ｓ２４０において算出される値は、ほぼ１となり、つまり、上記基準値と上記質量とがほぼ一致することとなり、ＣＰＵ１１０は、表示制御部１１６によって、水素タンク１０内の圧縮水素の残量が満タンであることを表す「Ｆ（：ＦＵＬＬ）」を、表示装置２００に表示させることになる。
【００４６】
以上説明した本実施例のガス残量表示制御装置１００では、水素タンク１０内の圧縮水素の圧力、および、温度の少なくとも一方が、１０水素タンク１０に許容される上限値に到達して充填が停止されたときの水素タンク１０内の圧縮水素の質量が、水素タンク１０に圧縮ガスが満充填であるときの圧縮水素の質量であるものと仮定して、このときの圧縮水素の質量（基準値）に対する水素タンク１０への圧縮水素の充填後に算出された圧縮水素の質量の割合に基づいて、水素タンク１０内の圧縮水素の残量を表示装置２００に表示させる。こうすることによって、充填が制限（停止）されるまで、圧縮水素が水素タンク１０に充填されたときに、圧縮水素を使用しないまま、水素タンク１０内の圧縮水素の温度や圧力が変化しても、表示装置２００に「ＦＵＬＬ」の表示を確実に行うことができる。この結果、先に説明したユーザの違和感を解消することができる。また、水素タンク１０内の圧縮水素が使用されたときには、「ＦＵＬＬ」表示時からの圧縮水素の使用割合、すなわち、水素タンク１０内の圧縮水素の残量を表示装置２００に表示させることができる。
【００４７】
Ｃ．変形例：
以上、本発明の実施の形態について説明したが、本発明はこのような実施の形態になんら限定されるものではなく、その要旨を逸脱しない範囲内において種々なる態様での実施が可能である。例えば、以下のような変形が可能である。
【００４８】
Ｃ１．変形例１：
上記実施例では、水素タンク１０に圧縮水素を貯蔵する場合について説明したが、本発明は、これに限られず、他のタンクに他の圧縮ガスを貯蔵する場合にも、本発明を適用することができる。
【００４９】
Ｃ２．変形例２：
上記実施例では、質量算出部１１２は、一般的な、気体の状態方程式に基づいて、水素タンク１０内の圧縮水素の質量を算出するものとしたが、本発明は、これに限られず、他の式に基づいて、上記質量を算出するようにしてもよい。
【００５０】
Ｃ３．変形例３：
上記実施例では、図３に示したガス残量表示制御処理において、表示装置２００に「Ｅ：ＥＭＰＴＹ」を表示させるか否かの判断（ステップＳ２２０）に用いられる「下限値」は、予めＲＯＭ１２０に記憶されているものとしたが、本発明は、これに限られない。上記下限値は、水素タンク１０から圧縮水素を所定の圧力以上で供給可能な範囲内で設定されていればよく、例えば、水素タンク１０内の圧縮水素の温度Ｔ、および、圧力Ｐ等に基づいて、随時、変更するようにしてもよい。
【００５１】
Ｃ４．変形例４：
上記実施例では、ガス残量表示制御装置１００と、表示装置２００とは、別体であるものとしたが、これらを一体化して、ガス残量表示装置として構成するようにしてもよい。
【図面の簡単な説明】
【００５２】
【図１】本発明の一実施例としてのガス残量表示制御装置を適用したガス残量表示システム１０００の概略構成を示す説明図である。
【図２】水素タンク１０への圧縮水素充填時のガス残量表示制御処理の流れを示すフローチャートである。
【図３】水素タンク１０への圧縮水素充填後のガス残量表示制御処理の流れを示すフローチャートである。
【符号の説明】
【００５３】
１０００…ガス残量表示システム
１０…水素タンク
１２…圧力センサ
１４…温度センサ
１００…ガス残量表示制御装置
１１０…ＣＰＵ
１１２…質量算出部
１１４…基準値設定部
１１６…表示制御部
１２０…ＲＯＭ
２００…表示装置
【図１】
0004525728.tif 000002
【図２】
0004525728.tif 000003
【図３】
0004525728.tif 000004